(57)【要約】【課題】非接触型ＩＣカードに対する通信範囲（交信範囲）が広く、かつ省電力化を実現することのできる自動改札機を提供する。【解決手段】自動改札機の本体に設けられているアンテナ部に無線通信機能を備えたＩＣカードからなる情報記録媒体がかざされたとき又はそのアンテナ部にタッチされたときに、その情報記録媒体に記憶されている所定のデータに基づいて所定の入出場処理を行う自動改札機において、前記アンテナ部は、前記自動改札機の本体の改札通路の通過方向と同方向に沿って設けられ複数個のアンテナを有し、それらアンテナは、そのアンテナ部にかざされ又はタッチされようとしている前記情報記録媒体を検出する検出器の検出信号に基づいてアンテナを選択的に駆動するアンテナ駆動手段により駆動制御されることを特徴としている。【選択図】図２
2007257112.tif 000002
【特許請求の範囲】
【請求項１】
自動改札機の本体に設けられているアンテナ部に無線通信機能を備えたＩＣカードからなる情報記録媒体がかざされたとき又はそのアンテナ部にタッチされたときに、その情報記録媒体に記憶されている所定のデータに基づいて所定の入出場処理を行う自動改札機において、
前記アンテナ部は、前記自動改札機の本体の改札通路の通過方向と同方向に沿って設けられ複数個のアンテナを有し、それらアンテナは、そのアンテナ部にかざされ又はタッチされようとしている前記情報記録媒体を検出する検出器の検出信号に基づいてアンテナを選択的に駆動するアンテナ駆動手段により駆動制御されることを特徴とする自動改札機。
【請求項２】
請求項１に記載の自動改札機において、前記検出器は、前記自動改札機の本体の改札通路の通過方向と同方向に沿って、かつ所定の間隔を保って設けられた複数個のセンサを前記アンテナ部内に配置して構成されていることを特徴とする自動改札機。
【請求項３】
請求項１に記載の自動改札機において、前記検出器は、前記自動改札機の本体の改札通路の通過方向と同方向に沿って、かつ所定の間隔を保って設けられた複数個のセンサをその自動改札機の本体の改札通路内の利用者を検知する人間検知器のセンサ取付ボックス内に配置して構成されていることを特徴とする自動改札機。
【請求項４】
請求項１から３のいずれかに記載の自動改札機において、前記検出器のセンサは、反射型センサからなることを特徴とする自動改札機。
【請求項５】
請求項１から４のいずれかに記載の自動改札機において、前記アンテナ駆動手段は、前記検出器がそのアンテナ部に前記情報記録媒体がかざされ又はタッチされようとしていることを検出したときに駆動を開始させることを特徴とする自動改札機。
【請求項６】
請求項１から５のいずれかに記載の自動改札機において、前記アンテナ駆動手段は、前記検出器が前記情報記録媒体を検出しなくなったときに駆動を停止させることを特徴とする自動改札機。
【請求項７】
自動改札機の本体に設けられているアンテナ部に無線通信機能を備えたＩＣカードからなる情報記録媒体がかざされたとき又はそのアンテナ部にタッチされたときに、その情報記録媒体に記憶されている所定のデータに基づいて所定の入出場処理を行う自動改札機において、
前記アンテナ部に前記情報記録媒体がかざされ又はタッチされようとしていることを検出する検出器と、
前記検出器が前記情報記録媒体を検出したときに前記アンテナ部の駆動を開始させるアンテナ駆動手段と、
を設けたことを特徴とする自動改札機。
【請求項８】
請求項７に記載の自動改札機において、前記検出器は、前記アンテナ部内に配置されていることを特徴とする自動改札機。
【請求項９】
請求項７に記載の自動改札機において、前記検出器は、前記自動改札機の本体の改札通路内の利用者を検知する人間検知器のセンサ取付ボックス内に配置されていることを特徴とする自動改札機。
【請求項１０】
請求項７から９のいずれかに記載の自動改札機において、前記前記検出器のセンサは、反射型センサからなることを特徴とする自動改札機。
【請求項１１】
請求項７から１０のいずれかに記載の自動改札機において、前記アンテナ駆動手段は、前記検出器が前記情報記録媒体を検出しなくなったときに駆動を停止させることを特徴とする自動改札機。
【発明の詳細な説明】
【技術分野】
【０００１】
本発明は、非接触型ＩＣカードからなる情報記録媒体を処理する自動改札機に係り、特に、広い通信範囲を得ることができ、さらに省電力化を図ることのできる自動改札機に関する。
【背景技術】
【０００２】
従来、この種の非接触型ＩＣカードからなる情報記録媒体を処理できる非接触式の自動改札機は、その自動改札機の本体に設けられているアンテナの交信範囲（通信範囲）内に情報記録媒体が入ると、その情報記録媒体に記憶されているデータ（カードデータ）が読み取られ、その読み取られたデータを基に入出場処理（入場処理又は出場処理を意味している。）が行われるように構成されている（特許文献１参照）。
【０００３】
また、非接触式の自動改札機は、自動改札機の本体の筐体上面に設けられているアンテナ部に情報記録媒体をかざして又はそのアンテナ部に軽くタッチすることによりその情報記録媒体に記録されているデータが読み取られるように構成されているため、そのアンテナ部に的確にかざし又はタッチされないと読取不良を起こしてしまうという問題点を有している。このため、この読取不良を防止するために複数のアンテナを備えて読み取り範囲を広げた、すなわち通信範囲を広げた自動改札機も提案されている（特許文献２参照）。
【特許文献１】特開２００６−４３１９号公報
【特許文献２】特開平１０−２０８０９４号公報
【発明の開示】
【発明が解決しようとする課題】
【０００４】
しかしながら、上記従来の非接触式の自動改札機は、アンテナ部に情報記録媒体がかざされ又はタッチされなくとも、その自動改札機の本体が稼動している間、常時、所定の電波（ポーリング信号）を送出しているので消費電力が大きくなるという欠点があった。しかもこの消費電力は、アンテナの数を増加させるとその分だけ消費電力が大きくなるという欠点があった。
【０００５】
さらに、上述のアンテナの数を増加させて情報記録媒体に対する通信範囲を広げた場合、あるいはその通信範囲を広げるためにアンテナの送信出力を増加させた場合は、隣接する自動改札機の本体から送信されている電波と干渉したり、または利用者（旅客）の所持する電子機器に悪影響を及ぼすおそれがあった。
【０００６】
そこで、本発明は、上記欠点を解決するためになされたものであって、その目的は、情報記録媒体に対する通信範囲を広げることができ、それでいて消費電力を少なくすることのできる自動改札機を提供することにある。
【課題を解決するための手段】
【０００７】
本発明に係る自動改札機は、上記目的を達成するために、請求項１に記載の発明は、自動改札機の本体に設けられているアンテナ部に無線通信機能を備えたＩＣカードからなる情報記録媒体がかざされたとき又はそのアンテナ部にタッチされたときに、その情報記録媒体に記憶されている所定のデータに基づいて所定の入出場処理を行う自動改札機において、前記アンテナ部は、前記自動改札機の本体の改札通路の通過方向と同方向に沿って設けられ複数個のアンテナを有し、それらアンテナは、そのアンテナ部にかざされ又はタッチされようとしている前記情報記録媒体を検出する検出器の検出信号に基づいてアンテナを選択的に駆動するアンテナ駆動手段により駆動制御されることを特徴としている。
本発明の請求項２に記載の自動改札機は、検出器は自動改札機の本体の改札通路の通過方向と同方向に沿って、かつ所定の間隔を保って設けられた複数個のセンサをアンテナ部内に配置して構成したことを特徴としている。
請求項３に記載の自動改札機は、検出器は自動改札機の本体の改札通路の通過方向と同方向に沿って、かつ所定の間隔を保って設けられた複数個のセンサをその自動改札機の本体の改札通路内の利用者を検知する人間検知器のセンサ取付ボックス内に配置して構成したことを特徴としている。
請求項４に記載の自動改札機は、検出器のセンサは反射型センサからなることを特徴としている。
請求項５に記載の自動改札機は、アンテナ駆動手段は検出器がアンテナ部に情報記録媒体がかざされ又はタッチされようとしていることを検出したときに駆動を開始させることを特徴としている。
請求項６に記載の自動改札機は、アンテナ駆動手段は検出器が情報記録媒体を検出しなくなったときに駆動を停止させることを特徴としている。
【０００８】
本発明に係る自動改札機は、上記目的を達成するために、請求項７に記載の発明は、自動改札機の本体に設けられているアンテナ部に無線通信機能を備えたＩＣカードからなる情報記録媒体がかざされたとき又はそのアンテナ部にタッチされたときに、その情報記録媒体に記憶されている所定のデータに基づいて所定の入出場処理を行う自動改札機において、前記アンテナ部に前記情報記録媒体がかざされ又はタッチされようとしていることを検出する検出器と、その検出器が前記情報記録媒体を検出したときに前記アンテナ部の駆動を開始させるアンテナ駆動手段とを設けたことを特徴としている。
請求項８に記載の自動改札機は、検出器はアンテナ部内に配置されていることを特徴としている。
請求項９に記載の自動改札機は、検出器は自動改札機の本体の改札通路内の利用者を検知する人間検知器のセンサ取付ボックス内に配置されていることを特徴としている。
請求項１０に記載の自動改札機は、検出器のセンサは反射型センサからなることを特徴としている。
請求項１１に記載の自動改札機は、アンテナ駆動手段は検出器が情報記録媒体を検出しなくなったときに駆動を停止させることを特徴としている。
【発明の効果】
【０００９】
本発明の請求項１に記載の自動改札機は、アンテナ部は自動改札機の本体の改札通路の通過方向と同方向に沿って設けられ複数個のアンテナを有し、それらアンテナは、そのアンテナ部にかざされ又はタッチされようとしている情報記録媒体を検出する検出器の検出信号に基づいてアンテナを選択的に駆動するアンテナ駆動手段により駆動制御されるので、複数個のアンテナの分だけ通信範囲が広がり、読取不良を未然に防止することができ、また、アンテナが選択的に駆動されるから消費電力を少なくすることができる。
本発明の請求項２に記載の自動改札機は、検出器を自動改札機の本体の改札通路の通過方向と同方向に沿って、かつ所定の間隔を保って設けられた複数個のセンサをアンテナ部内に配置して構成したので、検出器を簡単に実施することができる。
請求項３に記載の自動改札機は、検出器を自動改札機の本体の改札通路の通過方向と同方向に沿って、かつ所定の間隔を保って設けられた複数個のセンサをその自動改札機の本体の改札通路内の利用者を検知する人間検知器のセンサ取付ボックス内に配置して構成したので、検出器を簡単に実施することができる。
請求項４に記載の自動改札機は、検出器のセンサを反射型センサで構成しているので、容易に実施することができる。
請求項５に記載の自動改札機は、アンテナ駆動手段がアンテナ部に情報記録媒体がかざされ又はタッチされようとしていることを検出器が検出したときに駆動を開始させるので、より消費電力を少なくすることができる。
請求項６に記載の自動改札機は、アンテナ駆動手段が情報記録媒体を検出器が検出しなくなったときに駆動を停止させるので、より消費電力を少なくすることができる。
【００１０】
本発明請求項７に記載の自動改札機は、アンテナ部に情報記録媒体がかざされ又はタッチされようとしていることを検出する検出器と、その検出器が情報記録媒体を検出したときにアンテナ部の駆動を開始させるアンテナ駆動手段とを有しているので、消費電力を少なくすることができる。
請求項８に記載の自動改札機は、検出器がアンテナ部内に配置されているので、容易に実施することができる。
請求項９に記載の自動改札機は、検出器が自動改札機の本体の改札通路内の利用者を検知する人間検知器のセンサ取付ボックス内に配置されているので、容易に実施することができる。
請求項１０に記載の自動改札機は、検出器のセンサが反射型センサからなるので、容易に実施することができる。
請求項１１に記載の自動改札機は、アンテナ駆動手段が情報記録媒体を検出器が検出しなくなったときに駆動を停止させるので、より消費電力を少なくすることができる。
【発明を実施するための最良の形態】
【００１１】
以下、本発明を実施するための最良の形態を図面に基づいて説明する。図１は、本発明に係る自動改札機の本体（以下、「改札機本体」という。）Ｇを構成する一対の筐体のうち、一方の筐体Ｇ1を改札通路Ｐ側から見たときの正面図である。この改札機本体Ｇの筐体Ｇ1の入口側（図１において右側）の上面には、磁気券からなる乗車券（この改札機本体Ｇが空港用のときは搭乗券、この改札機本体Ｇが船舶用のときは乗船券）を投入するための投入口１が設けられているとともに、その投入口１よりも改札通路Ｐの内側の上面には、図示しない無線通信機能を備えたＩＣカードからなる、本発明の情報記録媒体に相当する非接触型ＩＣカード（後述する図２の「Ｃ」参照）と交信するためのアンテナ部Ａが設けられている。なお、このアンテナ部Ａについては後述する。
【００１２】
また、この筐体Ｇ1の出口側の上面には、利用者へ乗車券を返却するための取出口２が設けられている。さらに、この改札機本体Ｇの内側には、図示しないが、投入口１から投入された乗車券を取出口２又は集札箱（図示せず）まで搬送するカードハンドラが設けられている。
【００１３】
図中、Ｄ1，Ｄ2はドアであり、このうちドアＤ1は改札通路Ｐの出口側（図１に示す例では左側）に設けられ、ドアＤ2は改札通路Ｐの入口側に設けられている。これらドアＤ1，Ｄ2は後述する制御器によって開閉制御されて利用者の改札通路Ｐの通過を許可したり、または阻止できるように構成されている。そして、改札通路Ｐの出口側のドアＤ1は、乗車券類（乗車券、搭乗券又は乗船券等の磁気券、非接触型ＩＣカード）を基にして開閉制御され、改札通路Ｐの入口側のドアＤ2は、改札通路Ｐを利用者が逆進してきたとき、すなわち、改札通路Ｐを出口側から入口側に進入したときに閉じられるとともに、改札機本体Ｇが稼動停止中に閉じられるように構成されている。
【００１４】
図１中、３ａ〜３ｆは、光電素子からなる透過型人間検知器であって、改札機本体Ｇの筐体Ｇ1，Ｇ2の（筐体Ｇ2は図示しないが、改札通路Ｐを挟んで筐体Ｇ1と対向して設けられている。）側面に所定の間隔を保って設けられている。さらに、この人間検知器は、改札機本体Ｇの筐体Ｇ1，Ｇ2の上面の改札通路Ｐと反対側で、その改札通路Ｐの通過方向に沿って設けられたセンサ取付ボックス４内にそれぞれ設けられている赤外線を利用した測距式の反射型人間検知器５ａ〜５ｃによっても構成されている。この反射型人間検知器５ａ〜５ｃは、改札通路Ｐ内の大人の利用者を検知できるように、改札通路Ｐの床面から所定高さ以上の物体（利用者）を検知できるように構成されている。したがって、透過型人間検知器３ａ〜３ｆ及び反射型人間検知器５ａ〜５ｃの両方で検知されたときは、その利用者を大人の利用者と判定し、反射型人間検知器５ａ〜５ｃで検知されることなく透過型人間検知器３ａ〜３ｆのみで検知されたときは、その利用者を子供（小児）の利用者と判定することができる。
【００１５】
上記透過型人間検知器３ａ〜３ｆは、改札通路Ｐ内への利用者の進入及び進出を検出するとともに、改札通路Ｐのほぼ中央部に設けられている透過型人間検知器３ｃ，３ｄは、他の透過型人間検知器よりも間隔が狭く設けられていて、これら透過型人間検知器３ｃ，３ｄの検知順序により利用者の進行方向を検知できるように構成されている。
【００１６】
上記改札機本体Ｇの筐体Ｇ1の側面には、利用者に対して音声により所定の案内を行うためのスピーカ６が取付けられている。また、この改札機本体Ｇの筐体Ｇ1の上面の出口側には、利用者に対して文字により所定の案内を行うための表示画面７が取付けられている。さらに、筐体Ｇ1のセンサ取付ボックス４の上面で改札通路Ｐの出口側には、係員に対して無効券の発生及び利用者が子供である旨を報知するための報知灯Ｌが設けられている。
【００１７】
図２（ａ）は、上記アンテナ部Ａの部分の拡大図である。この図から明らかなように、このアンテナ部Ａ内には、複数のアンテナＡ1〜Ａ6が改札通路Ｐの通過方向（図１の矢印参照）に沿って並設させている。そしてそのアンテナ部Ａ内には、その改札通路Ｐの通過方向に沿って、かつ所定の間隔を保って複数の赤外線を利用した測距式の反射型のセンサＳ1〜Ｓ5が配置されていて、アンテナ部Ａにかざされようとしている非接触型ＩＣカード又はそのアンテナ部Ａにタッチされようとしている非接触型ＩＣカードを検出できるように構成されている。
【００１８】
このアンテナ部Ａの外形は、筐体Ｇ1の上面位置から少し突出するように設けられていて、その平面形状は改札通路Ｐの方向に沿って長い長方形を呈し、その上部は、電波及び光線を通す材質、例えば透明強化ガラスからなるカバーで覆われている。また、そのカバーの表面には、図示しないが、このカバーの部分が非接触型ＩＣカードと交信するためのアンテナの箇所であることを示すためのマークが刻印により表示されている。
【００１９】
上述の例では、非接触型ＩＣカードを検出するセンサＳ1〜Ｓ5をアンテナ部Ａ内に設けたが、これをセンサ取付ボックス４内に設けるようにしてもよい。このセンサ取付ボックス４内にセンサＳ1〜Ｓ5を設けた例は図３に示されている。
【００２０】
なお、上述した例では、アンテナ部Ａ内に配置するアンテナの数を６個としたがこれ以上であっても、あるいはこれよりも少なくてもよい。アンテナ部Ａの長さ（改札通路Ｐの通過方向の長さ）を３０ｃｍ程度にしたときは、読取不良をほとんど防止できるので、上述の例のように６個のアンテナで十分である。また、上述の例では、センサの数を５個としたがこの数に限定されるものでない。しかし、後述する図２（ｂ）〜図２（ｄ）に示されるように、アンテナ部Ａ上の非接触型カードを間断なく検出できるように配置することが好まれる。さらに、このセンサは、赤外線を利用した測距式の反射型センサとしたが、超音波や電波等を利用した他の形式のセンサとしてもよい。
【００２１】
図１中、１０は、改札機本体Ｇの制御動作を司る筐体Ｇ1内に設けられた制御器であり、本発明の所定の入出場処理を司る部分に相当している。この制御器１０は、図４に示されるように、ＣＰＵを中心に形成される演算部２０を有している。この演算部２０は、メモリ２１に記憶されているシステムプログラム及びワーキングデータを用いて所定の演算処理を行えるように構成されている。そして、この演算部２０には、図示しないＩ／Ｏ装置を介してカードハンドラを駆動制御するカードハンドラドライバ２２と、ドアＤ1，Ｄ2のドア駆動機構を駆動制御するドアドライバ２３と、非接触型カードを検出するセンサＳ1〜Ｓ5の検出信号を処理するカード検出ドライバ２４と、各人間検知器３ａ〜３ｆ，５ａ〜５ｃの検知信号を入力するセンサアンプ２５とが接続されている。またこの演算部２０には、非接触型ＩＣカードを処理するためのリーダライタ２６も接続されている。このリーダライタ２６には、切換回路２７を介してアンテナ部Ａ内の各アンテナＡ1〜Ａ5が接続されている。上記切換回路２７は、センサＳ1〜Ｓ5で検出された非接触型ＩＣカードの位置によってアンテナ部Ａ内のアンテナＡ1〜Ａ6を選択して駆動できるように構成されている。そしてこれらアンテナＡ1〜Ａ6は、非接触型ＩＣカードとデータ授受を行う機能と、その非接触型ＩＣカードに電力を供給するための機能とを有している。なお、この演算部２０には、表示画面７の表示内容を駆動制御する表示ドライバや報知灯Ｌを駆動制御するランプドライバ等も接続されているが、ここでは省略されている。
【００２２】
後述する図２（ｂ）〜図２（ｄ）に示される非接触型ＩＣカードＣは、無線通信機能を備えたＩＣカードからなり、その外形形状はカード状を呈している。なお、この非接触型ＩＣカードＣの機能を携帯電話機（ＰＨＳを含む）やＰＤＡ等の利用者の携帯する情報端末機に組込むこともできる。したがって、本発明で情報記録媒体というときは、携帯電話等の携帯型情報端末機を含んでいる。
【００２３】
以下、図５のフローチャート及び図２（ａ）〜図２（ｄ）を用いて制御動作を説明するが、先ず最初に磁気券が使用されたときについて説明する。今、改札機本体Ｇが稼動していて、磁気券が投入口１に投入されたとする。投入口１に磁気券が投入されると非接触型ＩＣカードＣとの競合を回避するために、その磁気券に対する入出場処理が終了するまでリーダライタ２６による処理は禁止される。
【００２４】
投入口１に投入された磁気券は、周知の自動改札機と同様の入出場処理が行われる。すなわち、投入口１に投入された磁気券は、そこに記録されているデータが読取られ、その読取られたデータを基にしてＣＰＵ２０において所定の入出場の演算処理が行われる。そして、その演算処理の結果、入出場を許可できるときは、ドアＤ1が開かれて（改札機本体Ｇがノーマルオープン型のときはそのまま）利用者の改札通路Ｐの通過が許されるとともに、投入口１に投入された磁気券が定期券のように利用者に返却する必要のある磁気券の場合は、その磁気券に新たな入出場データが記録された後、取出口２に排出されて返却される。また、投入口１に投入された磁気券が普通乗車券のような場合で、かつ出場処理場合は、その磁気券は筐体Ｇ1内に設けられた図示しない集札箱へ集札される。
【００２５】
上述の所定の入出場の演算処理の結果、入出場が許可できないときは、ドアＤ1が閉じられて利用者の改札通路Ｐの通過が拒否されるとともに、表示画面７及びスピーカ６を介して精算案内等の所定の案内が行われ、また、投入口１に投入された磁気券は取出口２に排出されて返却される。
【００２６】
磁気券を用いた所定の入出場処理が終了すれば、非接触型ＩＣカードＣの処理が可能となる。このとき、アンテナ部Ａに非接触型ＩＣカードＣがタッチ又はかざされた場合（以下、かざしで説明する。）、その非接触型ＩＣカードＣがセンサＳ1で検出されたとする（ステップ１００肯定。図２（ｂ）参照。以下、ステップを「Ｓ」とする。）。センサＳ1により非接触型ＩＣカードＣが検出されるとアンテナ部Ａ内のアンテナＡ1，Ａ2の駆動が開始される（Ｓ１０２。図２（ａ）〜図２（ｄ）中、網掛けのアンテナは、駆動状態を示している。）。そしてこのときには、非接触型ＩＣカードＣと磁気券との混信を避けるために、投入口１に設けられている図示しないシャッタが閉じられて磁気券の投入が禁止される。
【００２７】
アンテナ部Ａ上で非接触型ＩＣカードＣが移動し、他のセンサで検出された場合は、その検出されたセンサに対応するアンテナが駆動される（Ｓ１０４〜Ｓ１１８。図２（ｂ），（ｃ）参照）。なお、図示しないが、最初に、例えばセンサＳ3で非接触型ＩＣカードＣが検出された場合は、そのセンサＳ3に対応したアンテナＡ3，Ａ4が駆動される。
【００２８】
この非接触型ＩＣカードＣを用いた入出場処理は、周知の非接触式の自動改札機と同様に行われる。すなわち、非接触型ＩＣカードＣがアンテナ部Ａの交信範囲に入ると非接触型ＩＣカードＣはそのアンテナ部Ａ側から送出された電力波を受けて駆動され、非接触型ＩＣカードＣに記憶されている定期券データやＳＦカードデータ等のカードデータが改札機本体Ｇに取込まれる。そして、その取込まれたカードデータは、ＣＰＵ２０における入出場用の演算処理に用いられる。
【００２９】
上述の演算処理の結果、入出場を許可できるときは、ドアＤ1が開かれて利用者の改札通路Ｐの通過が許可されるとともに、新たな入出場データ（カードデータ）がアンテナ部Ａを介して非接触型ＩＣカードＣに送出されてその非接触型ＩＣカードＣのメモリに書き込まれる。また、上述の演算処理の結果、入出場を許可できないときは、ドアＤ1が閉じられるとともに、表示画面７及びスピーカ６を介して精算処理等の所定の案内が行われる。この非接触型ＩＣカードＣを用いた処理が終了し、又はアンテナ部Ａ上に非接触型ＩＣカードＣの検出が無くなったときにアンテナ部Ａの駆動は停止される（Ｓ１２０、Ｓ１２２肯定、Ｓ１２４）。
【００３０】
上記構成からなる自動改札機は、アンテナ部Ａは非接触型ＩＣカードＣがかざされるまで駆動を停止しているので、消費電力を少なくすることができ、しかも非接触型ＩＣカードＣが検出されても必要なアンテナだけ駆動されるので、より消費電力を少なくすることができる。さらに、アンテナ部Ａ内のアンテナは、複数個からなるので通信範囲を広げることができる特長を有している。
【００３１】
なお、上述の例では、自動改札機の本体は、磁気券も処理できる兼用型に構成されているが、非接触型ＩＣカードＣのみを処理する専用型とすることもできる。
【図面の簡単な説明】
【００３２】
【図１】本発明の一実施の形態に係る改札機本体の一方の筐体を改札通路側から見たときの正面図である。
【図２】アンテナ部の詳細図である。
【図３】他の例のアンテナ部の詳細図である。
【図４】制御器の電気的構成を示すブロック図である。
【図５】アンテナ部の制御動作を示すフローチャートである。
【符号の説明】
【００３３】
Ｇ…自動改札機の本体（改札機本体）
Ｇ1…筐体
Ａ…アンテナ部
Ａ1〜Ａ6…アンテナ
Ｃ…情報記録媒体（非接触型ＩＣカード）
Ｐ…改札通路
Ｓ1〜Ｓ5…センサ
１…投入口
２…取出口
１０…制御器
【図１】
2007257112.tif 000003
【図２】
2007257112.tif 000004
【図３】
2007257112.tif 000005
【図４】
2007257112.tif 000006
【図５】
2007257112.tif 000007